(57)【要約】【課題】電子機器に対して、種々の状況に適合した設定を簡単に行うこと。【解決手段】電子機器１は、位置取得部５１と、ＮＦＣ通信処理部５２と、設定実行部５４とを備える。位置取得部５１は、ユーザの位置等のユーザ情報を取得する。ＮＦＣ通信処理部５２は、電子機器１を設定する指示動作の入力を検出する。設定実行部５４は、位置取得部５１が指示動作を検出した場合に、位置取得部５１によって取得されたユーザ情報と対応して設定された電子機器１の設定内容に当該電子機器１を設定する。【選択図】図３
2017063303.tif 000002
【特許請求の範囲】
【請求項１】
ユーザ情報を取得するユーザ情報取得手段と、
電子機器を設定する指示動作の入力を検出する指示動作検出手段と、
前記指示動作検出手段が前記指示動作を検出した場合に、前記ユーザ情報取得手段によって取得された前記ユーザ情報と対応して設定された前記電子機器の設定内容に当該電子機器を設定する設定実行手段と、
を備えることを特徴とする電子機器。
【請求項２】
前記ユーザ情報は、前記電子機器が存在する位置での位置情報であることを特徴とする請求項１に記載の電子機器。
【請求項３】
前記設定実行手段は、前記ユーザ情報取得手段によって取得された前記ユーザ情報が所定のユーザ情報と適合し、且つ前記指示動作検出手段が前記指示動作を検出した場合に、前記ユーザ情報取得手段によって取得された前記ユーザ情報と対応して設定された前記電子機器の設定内容に当該電子機器を設定することを特徴とする請求項１または２に記載の電子機器。
【請求項４】
前記ユーザ情報取得手段は、前記指示動作検出手段によって前記指示動作の入力が検出された場合に、前記電子機器のユーザ情報を取得することを特徴とする請求項１乃至３のいずれかに記載の電子機器。
【請求項５】
前記指示動作検出手段は、他の機器との通信による接続が行われたことを前記指示動作の入力として検出することを特徴とする請求項１乃至４のいずれかに記載の電子機器。
【請求項６】
前記指示動作検出手段は、前記所定のユーザ情報を記憶する他の機器との通信による接続が行われたことを前記指示動作の入力として検出し、
前記設定実行手段は、当該他の機器との通信によって取得した前記所定のユーザ情報と対応する前記電子機器の設定内容に当該電子機器を設定することを特徴とする請求項３に記載の電子機器。
【請求項７】
前記他の機器に前記所定のユーザ情報を登録するユーザ情報登録手段を備えることを特徴とする請求項６に記載の電子機器。
【請求項８】
前記指示動作検出手段は、前記電子機器の設定内容を記憶する他の機器との通信による接続が行われたことを前記指示動作の入力として検出し、
前記設定実行手段は、当該他の機器との通信によって取得した前記電子機器の設定内容に前記電子機器を設定することを特徴とする請求項１から７のいずれかに記載の電子機器。
【請求項９】
前記他の機器との通信は、ＮＦＣ通信であることを特徴とする請求項５から７のいずれかに記載の電子機器。
【請求項１０】
前記指示動作検出手段は、当該電子機器における予め設定された割り込み信号の入力を前記指示動作の入力として検出することを特徴とする請求項１から５のいずれかに記載の電子機器。
【請求項１１】
ユーザ情報を取得するユーザ情報取得手段を備える電子機器が実行する機器制御方法であって、
前記電子機器を設定する指示動作の入力を検出する指示動作検出ステップと、
前記指示動作検出ステップにおいて前記指示動作が検出された場合に、前記ユーザ情報取得手段によって取得された前記ユーザ情報と対応して設定された前記電子機器の設定内容に当該電子機器を設定する設定実行ステップと、
を含むことを特徴とする機器制御方法。
【請求項１２】
ユーザ情報を取得するユーザ情報取得手段を備える電子機器を制御するコンピュータに、
電子機器を設定する指示動作の入力を検出する指示動作検出機能と、
前記指示動作検出機能が前記指示動作を検出した場合に、前記ユーザ情報取得手段によって取得された前記ユーザ情報と対応して設定された前記電子機器の設定内容に当該電子機器を設定する設定実行機能と、
を実現させることを特徴とするプログラム。
【発明の詳細な説明】
【技術分野】
【０００１】
本発明は、電子機器、機器制御方法及びプログラムに関する。
【背景技術】
【０００２】
従来、ＮＦＣ（Ｎｅａｒ  Ｆｉｅｌｄ  Ｃｏｍｍｕｎｉｃａｔｉｏｎ）による通信を利用して、スマートフォン等の電子機器から他の電子機器を制御する技術が知られている。
例えば、特許文献１には、ＮＦＣを利用して、他の電子機器の設定情報を記憶したスマートフォンから、設定対象となる電子機器に設定情報を送信することにより、他の電子機器の設定を変更する技術が記載されている。
【先行技術文献】
【特許文献】
【０００３】
【特許文献１】特開２０１５−７６７７５号公報
【発明の概要】
【発明が解決しようとする課題】
【０００４】
しかしながら、特許文献１に記載された技術では、スマートフォン等の電子機器が、他の電子機器と接触等したことを条件に、予め記憶されている設定情報が送信され、他の電子機器において、その設定情報に応じた設定が行われる。一方、同一の電子機器であっても、ユーザは、状況に応じて種々異なる設定を必要とする場合がある。このような場合、特許文献１に記載の技術のように、電子機器同士の接触によって予め記憶されている設定情報に対応する設定が行われるのみでは、ユーザの目的とする設定を必ずしも行えない。
【０００５】
本発明は、このような状況に鑑みてなされたものであり、電子機器に対して、種々の状況に適合した設定を簡単に行うことを目的とする。
【課題を解決するための手段】
【０００６】
上記目的を達成するため、本発明の一態様の電子機器は、
ユーザ情報を取得するユーザ情報取得手段と、
電子機器を設定する指示動作の入力を検出する指示動作検出手段と、
前記指示動作検出手段が前記指示動作を検出した場合に、前記ユーザ情報取得手段によって取得された前記ユーザ情報と対応して設定された前記電子機器の設定内容に当該電子機器を設定する設定実行手段と、
を備えることを特徴とする。
【発明の効果】
【０００７】
本発明によれば、電子機器に対して、種々の状況に適合した設定を簡単に行うことが可能となる。
【図面の簡単な説明】
【０００８】
【図１】本発明の一実施形態に係る電子機器の使用形態を示す模式図である。
【図２】本発明の一実施形態に係る電子機器のハードウェアの構成を示すブロック図である。
【図３】図１の電子機器の機能的構成のうち、機器設定処理を実行するための機能的構成を示す機能ブロック図である。
【図４】図３の機能的構成を有する図２の電子機器が実行する機器設定処理の流れを説明するフローチャートである。
【図５】リスト端末が実行する機器設定支援処理の流れを説明するフローチャートである。
【発明を実施するための形態】
【０００９】
以下、本発明の実施形態について、図面を用いて説明する。
【００１０】
［第１実施形態］
［構成］
図１は、本発明の一実施形態に係る電子機器１の使用形態を示す模式図である。
図１においては、電子機器１としてのスマートフォンと、電子機器１と連携するリスト端末２とによって機器制御システムＳが構築された例を示している。
図１に示すように、電子機器１及びリスト端末２は、ＮＦＣによって互いに通信可能に構成されている。即ち、電子機器１のＮＦＣ通信部１Ａが、アンテナ１Ｂを介してリスト端末１に電磁波を送信し、リスト端末２は、アンテナ２Ｂを介して電子機器１からの電磁波を受信すると、受信した電磁波の電力によってＮＦＣ通信部２Ａを駆動し、ＮＦＣ通信部２Ａは、不揮発性のメモリ２Ｃにおける情報の書き込みまたは読み出しを実行する。また、リスト端末２のＮＦＣ通信部２Ａは、必要に応じて、メモリ２Ｃから読み出した情報をアンテナ２Ｂからリスト端末１に送信する。
【００１１】
図２は、本発明の一実施形態に係る電子機器１のハードウェアの構成を示すブロック図である。
本実施形態において、電子機器１は、スマートフォンとして構成される。
【００１２】
電子機器１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、測位部２１と、センサ部２２と、ドライブ２３と、を備えている。
【００１３】
ＣＰＵ１１は、ＲＯＭ１２に記録されているプログラム、または、記憶部１９からＲＡＭ１３にロードされたプログラムに従って各種の処理を実行する。
【００１４】
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０、測位部２１、センサ部２２及びドライブ２３が接続されている。
【００１６】
撮像部１６は、図示はしないが、光学レンズ部と、イメージセンサと、を備えている。
【００１７】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号を、以下、「撮像画像のデータ」と呼ぶ。撮像画像のデータは、ＣＰＵ１１等に適宜供給される。
【００１９】
入力部１７は、各種釦等で構成され、ユーザの指示操作に応じて各種情報を入力する。
出力部１８は、ディスプレイやスピーカ等で構成され、画像や音声を出力する。
記憶部１９は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。また、通信部２０は、ＮＦＣ通信部１Ａ及びアンテナ１Ｂを備えており、リスト端末２等、ＮＦＣ通信機能を備えた他の電子機器とＮＦＣによって行われる通信を制御する。
測位部２１は、ＧＰＳ（Ｇｌｏｂａｌ  Ｐｏｓｉｔｉｏｎｉｎｇ  Ｓｙｓｔｅｍ）等の測位システムを利用して、電子機器１の現在位置を測定する。
センサ部２２は、ジャイロセンサ、加速度センサあるいは地磁気センサ等の各種センサを備え、検出した信号をＣＰＵ１１に出力する。
【００２０】
ドライブ２３には、磁気ディスク、光ディスク、光磁気ディスク、あるいは半導体メモリ等よりなる、リムーバブルメディア３１が適宜装着される。ドライブ２３によってリムーバブルメディア３１から読み出されたプログラムは、必要に応じて記憶部１９にインストールされる。また、リムーバブルメディア３１は、記憶部１９に記憶されている画像のデータ等の各種データも、記憶部１９と同様に記憶することができる。
【００２１】
図３は、このような電子機器１の機能的構成のうち、機器設定処理を実行するための機能的構成を示す機能ブロック図である。
機器設定処理とは、予め設定された場所等の機器設定条件に適合する場合に、リスト端末２とのＮＦＣ通信をトリガとして、機器設定条件に対応して設定されている機器設定内容に電子機器１を設定する一連の処理をいう。
【００２２】
機器設定処理が実行される場合には、図２に示すように、ＣＰＵ１１において、位置取得部５１と、ＮＦＣ通信処理部５２と、適合判定部５３と、設定実行部５４とが機能する。
また、記憶部１９の一領域には、地図情報記憶部７１と、設定情報記憶部７２とが設定される。
地図情報記憶部７１には、地図情報のデータが記憶されている。
設定情報記憶部７２には、電子機器１の設定を行う場所（位置情報）を含む機器設定条件と、機器設定条件に対応して設定される電子機器１の設定内容を示す機器設定内容とが対応付けて記憶されている。例えば、機器設定条件として「自宅」が登録され、「自宅」の機器設定内容として、ＷｉＦｉをオン、Ｂｌｕｅｔｏｏｔｈ（商標）をオフ、ディスプレイのバックライト輝度を低輝度、着信音をオフ、バイブレーション機能をオンとする内容が登録されている。
【００２３】
位置取得部５１は、測位部２１によって測定された現在位置を取得する。
ＮＦＣ通信処理部５２は、ユーザによって、位置情報をリスト端末２に登録する書き込みモードに設定されている場合、書き込みモードを示す情報及び現在位置を示す位置情報を、ＮＦＣ通信部１Ａを介してリスト端末２に送信する。また、ＮＦＣ通信処理部５２は、ユーザによって、登録されている位置情報をリスト端末２から読み込む読み込みモードに設定されている場合、読み込みモードを示す情報及び現在位置を示す位置情報を、ＮＦＣ通信部１Ａを介してリスト端末２に送信する。そして、ＮＦＣ通信処理部５２は、リスト端末２から登録されている位置情報が送信された場合、その位置情報を受信する。なお、リスト端末２では、ＮＦＣ通信処理部５２が送信した現在位置を示す位置情報と一定の距離範囲にある位置情報が登録されている場合、その位置情報を送信する。
【００２４】
適合判定部５３は、読み込みモードにおいて、ＮＦＣ通信処理部５２がリスト端末２に送信した現在位置を示す位置情報に対して、リスト端末２から登録している位置情報が送信された場合に、その位置情報が表す場所を含む機器設定条件に適合したものと判定する。
設定実行部５４は、適合判定部５３によって機器設定条件に適合したと判定された場合に、その機器設定条件に対応する機器設定内容を設定情報記憶部７２から読み出し、機器設定内容が表す内容に電子機器１を設定する。
【００２５】
［動作］
図４は、図３の機能的構成を有する図２の電子機器１が実行する機器設定処理の流れを説明するフローチャートである。
機器設定処理は、ユーザによる入力部１７への機器処理開始の操作により開始される。
【００２６】
ステップＳ１において、ＮＦＣ通信処理部５２は、アンテナ１Ｂがリスト端末２のアンテナ２Ｂに近接されることにより通信可能となったＮＦＣ通信部１Ａを介して、リスト端末２のＮＦＣ通信部２Ａと通信を開始する。
ステップＳ２において、ＮＦＣ通信処理部５２は、書き込みモードに設定されているか否かを判定する。
書き込みモードに設定されている場合、ステップＳ２においてＹＥＳと判定されて、処理はステップＳ３に移行する。
一方、読み込みモードに設定されている場合、ステップＳ２においてＮＯと判定されて、処理はステップＳ９に移行する。
【００２７】
ステップＳ３において、位置取得部５１は、電子機器１の現在位置の位置情報を取得する。
ステップＳ４において、ＮＦＣ通信処理部５２は、ユーザによって入力された電子機器１の設定内容を読み込む。なお、ユーザによる電子機器１の設定内容の入力については、例えば複数の設定項目を羅列した設定画面等を表示し、そこでユーザが設定を選択するようにしてもよいし、他の方法でも勿論よい。
ステップＳ５において、ＮＦＣ通信処理部５２は、リスト端末２との通信が接続中であるか否かを判定する。
リスト端末２との通信が接続中でない場合、ステップＳ５においてＮＯと判定されて、処理はステップＳ３に移行する。なお、リスト端末２と通信中ではないと判定されて所定時間接続されなかった場合は、エラー表示がされて機器設定処理が終了するようにしてもよい。
一方、リスト端末２との通信が接続中である場合、ステップＳ５においてＹＥＳと判定されて、処理はステップＳ６に移行する。
【００２８】
ステップＳ６において、ＮＦＣ通信処理部５２は、書き込みモードを示す情報をリスト端末２に送信する。
ステップＳ７において、ＮＦＣ通信処理部５２は、電子機器１の現在位置を示す位置情報をリスト端末２に送信する。
ステップＳ８において、ＮＦＣ通信処理部５２は、ステップＳ４で読み込んだ電子機器１の設定内容を、ステップＳ３で取得した現在位置を示す位置情報と対応付けて、設定情報記憶部７２に記憶する。
ステップＳ８の後、機器設定処理は終了となる。
【００２９】
ステップＳ９において、ＮＦＣ通信処理部５２は、リスト端末２との通信が接続中であるか否かを判定する。
リスト端末２との通信が接続中でない場合、ステップＳ９においてＮＯと判定されて、処理はステップＳ２に移行する。なお、リスト端末２と通信中ではないと判定されて所定時間接続されなかった場合は、エラー表示がされて機器設定処理が終了するようにしてもよい。
一方、リスト端末２との通信が接続中である場合、ステップＳ９においてＹＥＳと判定されて、処理はステップＳ１０に移行する。
【００３０】
ステップＳ１０において、ＮＦＣ通信処理部５２は、読み込みモードを示す情報をリスト端末２に送信する。
ステップＳ１１において、ＮＦＣ通信処理部５２は、電子機器１の現在位置を示す位置情報をリスト端末２に送信する。
ステップＳ１２において、ＮＦＣ通信処理部５２は、リスト端末１から送信される位置情報（登録されている位置情報）を受信する待機状態となる。
【００３１】
ステップＳ１３において、適合判定部５３は、リスト端末２から登録されている位置情報を受信したか否かを判定する。
リスト端末２から登録されている位置情報を受信した場合、ステップＳ１３においてＹＥＳと判定されて、処理はステップＳ１４に移行する。これにより、適合判定部５３は、現在位置が機器設定条件に適合したものと判定する。
一方、リスト端末２から登録されている位置情報を受信しない場合（即ち、リスト端末２に登録されている位置情報がない場合）、ステップＳ１３においてＮＯと判定されて、機器設定処理は終了となる。
【００３２】
ステップＳ１４において、設定実行部５４は、設定情報記憶部７２において、現在位置が表す場所を含む機器設定条件に対応する機器設定内容を検索する。
ステップＳ１５において、設定実行部５４は、設定情報記憶部７２において、現在位置が表す場所を含む機器設定条件に対応する機器設定内容が検索されたか否かを判定する。
現在位置が表す場所を含む機器設定条件に対応する機器設定内容が検索されない場合、ステップＳ１５においてＮＯと判定されて、機器設定処理は終了となる。
一方、現在位置が表す場所を含む機器設定条件に対応する機器設定内容が検索された場合、ステップＳ１５においてＹＥＳと判定されて、処理はステップＳ１６に移行する。
【００３３】
ステップＳ１６において、設定実行部５４は、機器設定内容が表す内容に電子機器１を設定する。
ステップＳ１６の後、機器設定処理は終了となる。
【００３４】
次に、機器設定処理に応答して、リスト端末２が実行する機器設定支援処理を説明する。
図５は、リスト端末１が実行する機器設定支援処理の流れを説明するフローチャートである。
機器設定支援処理は、アンテナ２Ｂが電子機器１のアンテナ１Ｂに近接されることにより通信可能となった場合に開始される。
ステップＳ２１において、ＮＦＣ通信部２Ａは、電子機器１との通信が接続中であるか否かを判定する。
電子機器１との通信が接続中でない場合、ステップＳ２１においてＮＯと判定されて、処理はステップＳ３０に移行する。
一方、電子機器１との通信が接続中である場合、ステップＳ２１においてＹＥＳと判定されて、処理はステップＳ２２に移行する。
【００３５】
ステップＳ２２において、ＮＦＣ通信部２Ａは、電子機器１からモードを示す情報を受信する。
ステップＳ２３において、ＮＦＣ通信部２Ａは、電子機器１から書き込みモードを示す情報を受信したか否かを判定する。
電子機器１から書き込みモードを示す情報を受信した場合、ステップＳ２３においてＹＥＳと判定されて、処理はステップＳ２４に移行する。
一方、電子機器１から読み込みモードを示す情報を受信した場合、ステップＳ２３においてＮＯと判定されて、処理はステップＳ２６に移行する。
ステップＳ２４において、ＮＦＣ通信部２Ａは、電子機器１から現在位置を示す位置情報を受信する。
ステップＳ２５において、ＮＦＣ通信部２Ａは、ステップＳ２４で受信した位置情報をメモリ２Ｃに記憶する。これにより、ステップＳ２４で受信した位置情報がリスト端末２に登録された状態となる。
ステップＳ２５の後、機器設定支援処理は終了となる。
【００３６】
ステップＳ２６において、ＮＦＣ通信部２Ａは、電子機器１から現在位置を示す位置情報を受信する。
ステップＳ２７において、ＮＦＣ通信部２Ａは、メモリ２Ｃにおいて、ステップＳ２６で受信した位置情報から一定の距離範囲にある位置情報が記憶されているか否かを判定する。
ステップＳ２６で受信した位置情報から一定の距離範囲にある位置情報が記憶されている場合、ステップＳ２７においてＹＥＳと判定されて、処理はステップＳ２８に移行する。
一方、ステップＳ２６で受信した位置情報から一定の距離範囲にある位置情報が記憶されていない場合、ステップＳ２７においてＮＯと判定されて、処理はステップＳ２９に移行する。
【００３７】
ステップＳ２８において、ＮＦＣ通信部２Ａは、位置情報を電子機器１に送信する。
ステップＳ２９において、ＮＦＣ通信部２Ａは、位置情報がない旨を電子機器１に送信する。
ステップＳ３０において、ＮＦＣ通信部２Ａは、通常の時計表示へ移行する。
ステップＳ２８、ステップＳ２９及びステップＳ３０の後、機器設定支援処理は終了となる。
【００３８】
このような処理により、予め設定されている機器設定条件に適合するか否か、及び、ユーザが電子機器１の設定を変更したいという意思（ここではＮＦＣによる通信）が共に充足された場合に、機器設定条件に対応する機器設定内容に電子機器１が設定される。
そのため、ユーザの意思を反映させながら、状況に応じて、電子機器１の設定を行うことができる。
したがって、電子機器１に対して、種々の状況に適合した設定をより簡単に行うことが可能となる。
【００３９】
［変形例１］
上述の実施形態においては、電子機器１が、記憶部１９の設定情報記憶部７２に機器設定内容を記憶するものとしたが、機器設定内容をリスト端末１が記憶することができる。
この場合、例えば、図４におけるステップＳ７等で、ユーザにより設定された機器設定内容についてもリスト端末２に送信するようにして、設定情報記憶部７２における機器設定内容をリスト端末２のメモリ２Ｃに記憶し、第１実施形態のように、機器設定条件に適合するか否かの判定を行う。そして、機器設定条件に適合していると判定された場合には、ＮＦＣ通信部２Ａが機器設定条件に対応する機器設定内容をメモリ２Ｃから読み出して、電子機器１に送信することができる。
このような構成とした場合にも、ユーザの意思を反映させながら、状況に応じて、電子機器１の設定を行うことができる。
したがって、電子機器１に対して、種々の状況に適合した設定をより簡単に行うことが可能となる。
【００４０】
［変形例２］
上述の実施形態において、機器設定条件における場所（位置情報）をリスト端末２に登録し、電子機器１から送信された現在位置を示す位置情報が、リスト端末２に記憶された位置情報から一定の距離範囲内にある場合に、機器設定条件が充足したものと判定した。
これに対し、機器設定条件における場所（位置情報）をリスト端末２に記憶することなく、電子機器１とリスト端末２とがＮＦＣにより接続されたことを機器設定条件として設定することができる。即ち、電子機器１とリスト端末２とがＮＦＣにより接続されたか否かを判定し、接続されていると判定した場合に、機器設定条件に適合しているものとして、機器設定内容が表す内容に電子機器１を設定することができる。
これにより、ユーザが機器設定条件に含まれる場所と電子機器１の現在位置とが一致している（一定の距離範囲内にある）と認識している場合に、リスト端末２が電子機器１に接触等され、ＮＦＣ通信における接続が行われると、電子機器１が機器設定条件に対応する機器設定内容に設定することができる。
このような構成とした場合にも、ユーザの意思を反映させながら、状況に応じて、電子機器１の設定を行うことができる。
したがって、電子機器１に対して、種々の状況に適合した設定をより簡単に行うことが可能となる。
【００４１】
［第２実施形態］
第１実施形態において、リスト端末２とのＮＦＣ通信をトリガとして、機器設定条件に適合するか否かを判定するものとしたが、電子機器１における所定の入力をトリガとして、機器設定条件に適合するか否かを判定することができる。
即ち、電子機器１単体で発生可能な所定の割り込み信号（センサの出力）等をトリガとして、機器設定条件に適合するか否かを判定することができる。
具体的には、第１実施形態と同様に、記憶部１９の設定情報記憶部７２に機器設定条件及び機器設定内容を記憶しておき、位置取得部５１によって取得された現在位置を示す情報が、機器設定条件に含まれる場所（位置情報）と一致している（一定の距離範囲内にある）状態で、電子機器１において所定の割り込み信号が入力された場合に、適合判定部５３が、機器設定条件に適合したものと判定することができる。この後、設定実行部５４は、機器設定条件に対応する機器設定内容を設定情報記憶部７２から読み出し、機器設定内容が示す内容に電子機器１を設定する。
【００４２】
なお、所定の割り込み信号を入力する方法としては、電子機器１本体の表裏面を反転して元に戻すジェスチャーや、電子機器１を空中で動かして特定の文字や記号を描く等のジェスチャー、あるいは、電子機器１を一定以上の強さでタップする操作をセンサで検出し、その検出信号を割り込み信号として入力すること等が可能である。
これにより、電子機器１単体の機能を利用して、機器設定条件に適合するか否かのトリガを発生させることができると共に、ユーザの意思を反映させながら、状況に応じて、電子機器１の設定を行うことができる。
したがって、電子機器１に対して、種々の状況に適合した設定をより簡単に行うことが可能となる。
【００４３】
以上のように構成される電子機器１は、位置取得部５１と、ＮＦＣ通信処理部５２と、設定実行部５４とを備える。
位置取得部５１は、ユーザの位置等のユーザ情報を取得する。
ＮＦＣ通信処理部５２は、電子機器１を設定する指示動作の入力を検出する。
設定実行部５４は、位置取得部５１が指示動作を検出した場合に、位置取得部５１によって取得されたユーザ情報と対応して設定された電子機器１の設定内容に当該電子機器１を設定する。
これにより、ユーザが指示動作を行うという条件が充足された場合に、所定のユーザ情報に対応する設定内容に電子機器が設定される。
そのため、ユーザの意思を反映させながら、状況に応じて、電子機器の設定を行うことができる。
したがって、電子機器に対して、種々の状況に適合した設定を簡単に行うことが可能となる。
【００４４】
ユーザ情報は、前記電子機器が存在する位置での位置情報である。
これにより、ユーザの意思を反映させながら、位置に対応して設定された電子機器１の設定内容に電子機器１を設定することができる。
【００４５】
設定実行部５４は、位置取得部５１によって取得されたユーザ情報が所定のユーザ情報と適合し、且つＮＦＣ通信処理部５２が指示動作を検出した場合に、位置取得部５１によって取得されたユーザ情報と対応して設定された電子機器の設定内容に電子機器を設定する。
これにより、所定のユーザ情報に適合すること、及び、ユーザが指示動作を行うことという条件が共に充足された場合に、所定のユーザ情報に対応する設定内容に電子機器が設定される。
そのため、ユーザの意思を反映させながら、状況に応じて、電子機器の設定を行うことができる。
したがって、電子機器に対して、種々の状況に適合した設定を簡単に行うことが可能となる。
【００４６】
位置取得部５１は、ＮＦＣ通信処理部５２によって指示動作の入力が検出された場合に、電子機器１のユーザ情報を取得する。
これにより、必要なタイミングでユーザ情報を取得できるため、電子機器１における消費電力を低減できる。
【００４７】
ＮＦＣ通信処理部５２は、他の機器との通信による接続が行われたことを指示動作の入力として検出する。
これにより、他の機器との通信による接続を行うことにより、電子機器の設定を行うことができる。
【００４８】
ＮＦＣ通信処理部５２は、所定のユーザ情報を記憶する他の機器との通信による接続が行われたことを指示動作の入力として検出する。
設定実行部５４は、他の機器との通信によって取得した所定のユーザ情報と対応する電子機器の設定内容に当該電子機器を設定する。
これにより、他の機器に所定のユーザ情報を登録しておき、その機器との通信による接続を行うことにより、他の機器との間で所定のユーザ情報を基に条件を確認しつつ、電子機器の設定を行うことができる。
【００４９】
ＮＦＣ通信処理部５２は、他の機器に所定のユーザ情報を登録する。
これにより、特定の機器を選択して、電子機器の設定に用いることが可能となる。
【００５０】
ＮＦＣ通信処理部５２は、電子機器の設定内容を記憶する他の機器との通信による接続が行われたことを指示動作の入力として検出する。
設定実行部５４は、当該他の機器との通信によって取得した機器の設定内容に電子機器を設定する。
これにより、通信による接続を行って電子機器を設定するトリガとなる機器に、電子機器の設定内容を一体に登録することが可能となる。
【００５１】
他の機器との通信は、ＮＦＣ通信である。
これにより、ユーザは、電子機器に他の機器をかざす等、簡単な操作で電子機器の設定を行うことが可能となる。
【００５２】
ＮＦＣ通信処理部５２は、電子機器における予め設定された割り込み信号の入力を指示動作の入力として検出する。
これにより、電子機器において発生される割り込み信号に関連する入力形態を指示動作に利用することができる。
【００５３】
なお、本発明は、上述の実施形態に限定されるものではなく、本発明の目的を達成できる範囲での変形、改良等は本発明に含まれるものである。
即ち、本発明は、位置情報が所定の位置情報と適合し、機器設定のトリガが検出された場合に、所定の位置情報と対応して設定された機器の設定内容に機器を設定することができれば、各種実施形態とすることができる。
例えば、上述の実施形態においては、機器設定条件を判定するためのトリガが入力された場合に、電子機器１の現在位置を取得することとしたが、これに限られない。即ち、電子機器１の現在位置を常時取得しておき、機器設定条件を判定するためのトリガが入力された場合に、取得されている現在位置を利用して、機器設定条件を判定することとしてもよい。
【００５４】
上述の実施形態では、ＮＦＣによる通信によって、機器設定条件に適合するか否かを判定するものとしたが、ＮＦＣ以外の通信を利用することとしてもよい。例えば、赤外線通信、Ｂｌｕｅｔｏｏｔｈ、ＷｉＦｉあるいは有線ケーブルの接続等が行われることをトリガとして、機器設定条件に適合するか否かを判定することとしてもよい。
【００５５】
また、上述の実施形態において、機器設定条件に含まれる要素として、場所（位置情報）を例に挙げて説明したが、機器設定条件には、場所以外の要素を設定することもできる。例えば、時刻、曜日、滞在場所の天気、ユーザが同一場所に留まっている滞留時間、特定の場所を通過する際のユーザの移動方向、自動車や電車等の乗り物に乗っている状況等を機器設定条件に設定することができる。なお、電車に乗っていることは、重力加速度と慣性のパターンから判定したり、交流電源を動力とする電車であれば、動作時に地磁気センサに乱れを生じさせるため、この現象を検出して判定したりすることができる。また、機器設定条件にユーザの行動情報を含ませるようにしてもよい。この場合、例えば、電子機器１またはリスト端末２に設けられた加速度センサあるいは地磁気センサ等の各種センサを利用して行動が判定されるようにする。また、趣味や性別等のユーザ自身の情報を登録して、ユーザの行動情報に加えて、そのユーザ自身の情報を利用することで、より詳細にユーザの行動情報を得て、その詳細な行動情報を機器設定条件に含ませる要素としてもよい。これにより、ユーザの種々の状況や行動を機器設定条件に設定することが可能となる。
【００５６】
また、第１実施形態では、電子機器１がＮＦＣ通信を行う接続先をリスト端末２として説明したが、電子機器１のＮＦＣ通信を行う接続先は、リスト端末２等の機器に限られない。例えば、自動車や自転車等の乗り物にＮＦＣ通信機能を備え、乗り物に乗る際に、ユーザが電子機器１をＮＦＣに接触させることをトリガとして、自動車あるいは自転車用の電子機器１の機器設定内容を設定することとしてもよい。これにより、場所に限らず、ユーザの種々の状況を機器設定条件に設定することが可能となる。例えば、自動車にＮＦＣ通信機能を備えた場合、ユーザが一人で自動車を使用している場合の設定（ＢｌｕｅｔｏｏｔｈをＯＮし、音楽や電話等の着信を自動車のオーディオを介して入出力する設定等）を、ユーザが電子機器１と自動車とをＮＦＣ通信で接続することにより、自らの意思を反映させたタイミングで実行することが可能となる。
【００５７】
また、上述の実施形態において、機器設定内容には、電子機器１の設定内容を設定するものとして説明したが、これに限られない。例えば、機器設定内容として、ＮＦＣ通信による電子機器１の接続先の機器について、設定内容（時刻情報の校正等）を機器設定内容として設定することとしてもよい。この場合、ＮＦＣ通信による接続が行われた場合に、電子機器１の接続先の機器において、機器設定内容に示される設定を実行させることができる。
【００５８】
また、上述の実施形態において、ユーザが登録した場所に対応して、ユーザが設定した電子機器１の設定内容を実行するものとしたが、映画館や劇場等、ユーザが頻繁には行かないために登録を行っていない場所でも、リスト端末２を電子機器１に接触させることにより、マナーモード設定や機内モード設定とする等、予め用意された電子機器１の設定を行うことが可能である。
また、上述の実施形態では、同一の場所では、電子機器１の設定内容が１つ設定されているものとして説明したが、同一の場所に対応して、電子機器１の設定内容を複数設定することも可能である。この場合、例えば、リスト端末２を電子機器１に同一の場所で連続して２回接触させる等の動作によって、１回接触させる場合とは異なる電子機器１の設定に切り換えることが可能である。
【００５９】
また、上述の実施形態では、本発明が適用される電子機器１は、スマートフォンを例として説明したが、特にこれに限定されない。
例えば、本発明は、情報処理機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、デジタルカメラ、ポータブルゲーム機等に適用可能である。
【００６０】
また、上述の実施形態では、電子機器１の位置情報を電子機器が有する測位部２１で測定するものとしたが、リスト端末２に測位部を設けて、ＮＦＣ通信をトリガとして、リスト端末２側で電子機器の位置情報を測位するような構成にしてもよい。
【００６１】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が電子機器１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００６２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６３】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００６４】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
また、本明細書において、システムの用語は、複数の装置や複数の手段等より構成される全体的な装置を意味するものとする。
【００６５】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００６６】
以下に、本願の出願当初の特許請求の範囲に記載された発明を付記する。
［付記１］
ユーザ情報を取得するユーザ情報取得手段と、
電子機器を設定する指示動作の入力を検出する指示動作検出手段と、
前記指示動作検出手段が前記指示動作を検出した場合に、前記ユーザ情報取得手段によって取得された前記ユーザ情報と対応して設定された前記電子機器の設定内容に当該電子機器を設定する設定実行手段と、
を備えることを特徴とする電子機器。
［付記２］
前記ユーザ情報は、前記電子機器が存在する位置での位置情報であることを特徴とする付記１に記載の電子機器。
［付記３］
前記設定実行手段は、前記ユーザ情報取得手段によって取得された前記ユーザ情報が所定のユーザ情報と適合し、且つ前記指示動作検出手段が前記指示動作を検出した場合に、前記ユーザ情報取得手段によって取得された前記ユーザ情報と対応して設定された前記電子機器の設定内容に当該電子機器を設定することを特徴とする付記１または２に記載の電子機器。
［付記４］
前記ユーザ情報取得手段は、前記指示動作検出手段によって前記指示動作の入力が検出された場合に、前記電子機器のユーザ情報を取得することを特徴とする付記１乃至３のいずれかに記載の電子機器。
［付記５］
前記指示動作検出手段は、他の機器との通信による接続が行われたことを前記指示動作の入力として検出することを特徴とする付記１乃至４のいずれかに記載の電子機器。
［付記６］
前記指示動作検出手段は、前記所定のユーザ情報を記憶する他の機器との通信による接続が行われたことを前記指示動作の入力として検出し、
前記設定実行手段は、当該他の機器との通信によって取得した前記所定のユーザ情報と対応する前記電子機器の設定内容に当該電子機器を設定することを特徴とする付記３に記載の電子機器。
［付記７］
前記他の機器に前記所定のユーザ情報を登録するユーザ情報登録手段を備えることを特徴とする付記６に記載の電子機器。
［付記８］
前記指示動作検出手段は、前記電子機器の設定内容を記憶する他の機器との通信による接続が行われたことを前記指示動作の入力として検出し、
前記設定実行手段は、当該他の機器との通信によって取得した前記電子機器の設定内容に前記電子機器を設定することを特徴とする付記１から７のいずれかに記載の電子機器。
［付記９］
前記他の機器との通信は、ＮＦＣ通信であることを特徴とする付記５から７のいずれかに記載の電子機器。
［付記１０］
前記指示動作検出手段は、当該電子機器における予め設定された割り込み信号の入力を前記指示動作の入力として検出することを特徴とする付記１から５のいずれかに記載の電子機器。
［付記１１］
ユーザ情報を取得するユーザ情報取得手段を備える電子機器が実行する機器制御方法であって、
前記電子機器を設定する指示動作の入力を検出する指示動作検出ステップと、
前記指示動作検出ステップにおいて前記指示動作が検出された場合に、前記ユーザ情報取得手段によって取得された前記ユーザ情報と対応して設定された前記電子機器の設定内容に当該電子機器を設定する設定実行ステップと、
を含むことを特徴とする機器制御方法。
［付記１２］
ユーザ情報を取得するユーザ情報取得手段を備える電子機器を制御するコンピュータに、
電子機器を設定する指示動作の入力を検出する指示動作検出機能と、
前記指示動作検出機能が前記指示動作を検出した場合に、前記ユーザ情報取得手段によって取得された前記ユーザ情報と対応して設定された前記電子機器の設定内容に当該電子機器を設定する設定実行機能と、
を実現させることを特徴とするプログラム。
【符号の説明】
【００６７】
Ｓ・・・機器制御システム，１・・・電子機器，１Ａ、２Ａ・・・ＮＦＣ通信部，１Ｂ，２Ｂ・・・アンテナ，２・・・リスト端末，２Ｃ・・・メモリ，１１・・・ＣＰＵ，１２・・・ＲＯＭ，１３・・・ＲＡＭ，１４・・・バス，１５・・・入出力インターフェース，１６・・・撮像部，１７・・・入力部，１８・・・出力部，１９・・・記憶部，２０・・・通信部，２１・・・測位部，２２・・・センサ部，２３・・・ドライブ，３１・・・リムーバブルメディア，５１・・・位置取得部，５２・・・ＮＦＣ通信処理部，５３・・・適合判定部，５４・・・設定実行部，７１・・・地図情報記憶部，７２・・・設定情報記憶部
【図１】
2017063303.tif 000003
【図２】
2017063303.tif 000004
【図３】
2017063303.tif 000005
【図４】
2017063303.tif 000006
【図５】
2017063303.tif 000007